(57)【要約】【課題】強度を高めると共に、伸縮調整機能を備えたスライドレールの補強及び調整構造を提供する。【解決手段】レール部材１０と、補強部材２６と、延伸スライドレール２８と、延伸スライドレール２８に可動状態で連接する取り付けスライドレール３４とを備える。レール部材１０は上壁１２ａと、下壁１２ｂと、上壁と下壁とに連接する側壁１４とを含み、側壁は、第一面１６ａと、第一面に背中合わせとなる第二面１６ｂとを備え、上壁と下壁と側壁の第一面とにより形成される空間をスライド通路１８と定義し、レール部材の側壁の第二面は凹んだ補強通路２０を形成する。補強部材２６はレール部材１０の補強通路２０内に可動状態で連接され、延伸スライドレール２８は補強部材２６に連接され、レール部材１０を挟持する。補強部材と延伸スライドレールによって、構造強度を高めると共に、取り付けスライドレールがレール部材に対する伸縮調整を行うことができる。【選択図】図1
0003171399.tif 000002
【実用新案登録請求の範囲】
【請求項１】
レール部材と、補強部材と、延伸スライドレールと、取り付けスライドレールとを備えるスライドレールの補強及び調整構造において、
レール部材は上壁と、上壁に相対する下壁と、上壁と下壁に連接する側壁とを備え、側壁は第一面と、第一面と背中合わせの第二面とを備え、上壁と下壁と側壁の第一面とによって形成される空間をスライド通路と定義し、側壁の第二面は凹んだ補強通路を形成し、
補強部材はレール部材の補強通路内に可動状態で連接され、
延伸スライドレールは補強部材に固定状態で連接されると共に、第一辺壁と、第一辺壁に相対する第二辺壁と、第一辺壁と第二辺壁とに連接する連接部とを備え、且つ、第一辺壁と、第二辺壁と、連接部とによって、ホールドアームを構成し、第一辺壁と第二辺壁はレール部材の上壁と下壁とを可動状態で挟持し、
取り付けスライドレールは延伸スライドレールに可動状態で連接され、取り付けスライドレールの一端には取り付け部を備える、ことを特徴とするスライドレールの補強及び調整構造。
【請求項２】
前記補強通路はスライド通路に対して平行であることを特徴とする請求項１に記載のスライドレールの補強及び調整構造。
【請求項３】
前記スライドレールの補強及び調整構造は少なくとも一つの上突出体と下突出体とをさらに含み、上突出体は、レール部材の側壁の第二面から下方側の補強通路内に延伸され、下突出体は、レール部材の側壁の第二面から上方側の補強通路内に延伸され、且つ、上突出体と下突出体は、補強部材を圧着し、レール部材の補強通路内での補強部材のスライドを制限することを特徴とする請求項１に記載のスライドレールの補強及び調整構造。
【請求項４】
前記取り付けスライドレールは第一支持部と、第一支持部に相対する第二支持部と、第一支持部と第二支持部間に連接する連接部とを備え、第一支持部と第二支持部はそれぞれ、延伸スライドレールの第一辺壁と第二辺壁とに対応し、互いに圧着することを特徴とする請求項１に記載のスライドレールの補強及び調整構造。
【請求項５】
前記取り付けスライドレールの連接部には、分かれた一対の縦方向ホールと、それぞれが縦方向ホールを貫通して延伸スライドレールに連接する少なくとも一対の定位部材とを設けることを特徴とする請求項４に記載のスライドレールの補強及び調整構造。
【考案の詳細な説明】
【技術分野】
【０００１】
本考案は、特に、レール部材の強度を高め、調整機能を提供するスライドレールの補強及び調整構造に関する。
【背景技術】
【０００２】
Ｄｕｂｏｎらによって開示された特許文献１の「伸縮式スライドレールキット用の調節可能な補強ブラケット（Ａｄｊｕｓｔａｂｌｅ  ｒｅｉｎｆｏｒｃｉｎｇ  ｂｒａｃｋｅｔ  ｆｏｒ  ｔｅｌｅｓｃｏｐｉｎｇ  ｓｌｉｄｅ  ｒａｉｌ  ａｓｓｅｍｂｌｙ）」は、その伸縮式スライドレールキットに、外表面を有する壁を含んでなる固定スライドレール（Sｔａｔｉｏｎａｒｙ  ｓｌｉｄｅ  ｒａｉｌ  ２２）を備え、固定スライドレールの両端は、取り付け部材（Mｏｕｎｔｉｎｇ  ｅｌｅｍｅｎｔ  ２６、４０）を用いてラック（ｒａｃｋ）の一対の支柱上に取り付けられる。伸縮式スライドレールキットには、さらに、固定スライドレールの壁の外表面上に連結する補強部材（ｒｅｉｎｆｏｒｃｉｎｇ  ｅｌｅｍｅｎｔ  ３２）と、スライド可能状態で該補強部材に連結する取り付けスライドレール（Mｏｕｎｔｉｎｇ  ｓｌｉｄｅ  ｒａｉｌ  ３４）とを備える。
【０００３】
しかし、開示された前記補強部材は、固定スライドレールの外表面上に固定するもので、可動状態での調整が不可能であり、固定スライドレールの特定位置に対する単一の補強である。しかも、取り付けスライドレールの補強部材に対する長さ調整には制限が設けられ、さらに距離範囲を超える大きなラックの支柱には通用できない。
【０００４】
そこで、本考案では、公知技術に残る上述した使用上の欠点に鑑み、欠点を改善するための好ましい設計を提供する。
【先行技術文献】
【特許文献】
【０００５】
【特許文献１】米国実用新案公開第２００６／０１５２１１５Ａ１号明細書
【考案の概要】
【考案が解決しようとする課題】
【０００６】
本考案の目的は、レール部材の構造強度を高め、レール部材に可動状態で連結する付加部品に対し伸縮調整機能を提供するスライドレールの補強及び調整構造を提供することにある。
【課題を解決するための手段】
【０００７】
本考案の観点に基づくスライドレールの補強及び調整構造は、レール部材と、補強部材と、延伸スライドレールと、取り付けスライドレールとを備える。そのうち、レール部材には、上壁と、上壁に相対する下壁と、上壁と下壁に連接する側壁とを備える。該側壁には、第一面と、第一面と背中合わせの第二面とを備え、上壁と下壁と側壁との第一面によって形成される空間をスライド通路と定義し、側壁の第二面には、凹んだ補強通路を形成する。補強部材は、レール部材の補強通路内に可動状態で連接する。延伸スライドレールは、補強部材に固定状態で連接し、該延伸スライドレールには、第一辺壁と、第一辺壁に相対する第二辺壁と、第一辺壁と第二辺壁とに連接する連接部とを備え、尚且つ、第一辺壁と、第二辺壁と、連接部とによりホールドアームを構成する。また、第一辺壁と第二辺壁は、レール部材の上壁と下壁とを可動状態で挟持する。取り付けスライドレールは、延伸スライドレールに可動状態で連接し、該取り付けスライドレールの一端には取り付け部を備える。
【０００８】
好ましくは、補強通路はスライド通路に対して平行である。
【０００９】
好ましくは、少なくとも一つの上突出体と下突出体をさらに含む。上突出体は、レール部材の側壁の第二面から下方向の補強通路内に延伸し、下突出体は、レール部材の側壁の第二面から上方向の補強通路内に延伸し、尚且つ、上突出体と下突出体は、補強部材を圧してそれに密着し、レール部材の補強通路内での補強部材のスライドを制限する。
【００１０】
好ましくは、取り付けスライドレールには、第一支持部と、第一支持部に相対する第二支持部と、第一支持部と第二支持部間に連接する連接部とを備える。また、第一支持部と第二支持部はそれぞれ、延伸スライドレールの第一辺壁と第二辺壁とに対応し、互いに圧し合って密着している。
【００１１】
好ましくは、取り付けスライドレールの連接部には、分かれた一対の縦方向ホールと、それぞれが縦方向ホールを貫通して延伸スライドレールに連接する少なくとも一対の定位部材を備える。
【考案の効果】
【００１２】
本考案のスライドレールの補強及び調整構造は、レール部材の構造強度を高め、レール部材に可動状態で連結する付加部品に対し伸縮調整機能を提供するという効果を奏する。
【図面の簡単な説明】
【００１３】
【図１】本考案の実施例における補強構造の分解斜視図である。
【図２】本考案の実施例において、補強部材と、延伸スライドレールと、取り付けスライドレールをレール部材に組み立てた状態の断面図である。
【図３】本考案の実施例において、補強部材と、延伸スライドレールと、取り付けスライドレールをレール部材に組み立てた状態の外観図である。
【図４】本考案の実施例において、取り付けスライドレールと補強部材と延伸スライドレールのレール部材に対する伸縮調整を示す説明図である。
【考案を実施するための形態】
【００１４】
図１及び図２に示した本考案の実施例において、レール部材１０は、上壁１２ａと、上壁１２ａに相対する下壁１２ｂと、上壁１２ａと下壁１２ｂに連接する側壁１４とを備える。そのうち、側壁１４には、第一面１６ａと、第一面１６ａと背中合わせの第二面１６ｂとを備え、尚且つ、上壁１２ａと下壁１２ｂと側壁１４との第一面１６ａによって形成される空間をスライド通路１８と定義する。側壁１４の第二面１６ｂには凹んだ補強通路２０を形成し、該補強通路２０は、スライド通路１８に平行している。好ましくは、補強通路２０は、レール部材１０の長さ方向（長手方向）に沿って形成され、レール部材１０は、補強通路２０の湾曲断面によって、自身の抗湾曲強度を高める。また、側壁１４の第二面１６ｂから下方向の補強通路２０内に延伸する少なくとも一つの上突出体２２と、側壁１４の第二面１６ｂから上方向の補強通路２０内に延伸する少なくとも一つの下突出体２４とをさらに含む。好ましくは、上突出体２２と下突出体２４は、レール部材１０上に複数個で配列、且つ対応して配置される。
【００１５】
スライドレールの補強及び調整構造は、さらに、補強部材２６と、補強部材２６に固定する延伸スライドレール２８とを含む。補強部材２６は、レール部材１０の側壁１４の第二面１６ｂの補強通路２０内に可動状態で連接し、しかも、上突出体２２と下突出体２４によって、補強通路２０内をレール部材１０の長さ方向（長手方向）に移動するのを保持される。また、延伸スライドレール２８には、第一辺壁３０ａと、第一辺壁３０ａに相対する第二辺壁３０ｂと、第一辺壁３０ａと第二辺壁３０ｂとに連接する連接部３２とを備え、尚且つ、第一辺壁３０ａと、第二辺壁３０ｂと、連接部３２とによりホールドアームが構成される。これにより、延伸スライドレール２８は、連接部３２を例えばリベット接合方式で補強部材２６に固定し、それと同時に、第一辺壁３０ａと第二辺壁３０ｂは、レール部材１０の上壁１２ａと下壁１２ｂを可動状態で挟持するため、補強部材２６と延伸スライドレール２８は共に、レール部材１０に対するスライド移動が可能となり、尚且つ、その構成要素の構造強度を適度に高める。
【００１６】
スライドレールの補強及び調整構造には、延伸スライドレール２８に可動状態で連接する取り付けスライドレール３４を備え、取り付けスライドレール３４には、第一支持部３６ａと、第一支持部３６ａに相対する第二支持部３６ｂと、第一支持部３６ａと第二支持部３６ｂ間に連接する連接部３８とを備える。そのうち、好ましくは、取り付けスライドレール３４は、分かれた一対の縦方向ホール４０と、それぞれが縦方向ホール４０を貫通し延伸スライドレール２８に連接する少なくとも一対の定位部材４２とを備えるため、延伸スライドレール２８に向き合う取り付けスライドレール３４は、定位部材４２に沿ってスライドする縦方向ホール４０を用いて移動を調整でき、尚且つ、第一支持部３６ａと第二支持部３６ｂはそれぞれ、延伸スライドレール２８の第一辺壁３０ａと第二辺壁３０ｂとに対応し、互いに圧し合って密着している。また、取り付けスライドレール３４の一端には取り付け部４４を備える。
【００１７】
図３及び図４に示した本考案実施例の調整前と、調整後の状態によると、延伸スライドレール２８がレール部材１０に対して移動調整する時、補強部材２６もまた、レール部材１０の補強通路２０内を移動し、これが第一段階の調整量となる。さらに、延伸スライドレール２８に対する取り付けスライドレール３４の移動調整が第二段階の調整量となる。よって、取り付けスライドレール３４を異なる奥行きサイズのラックに取り付けて使用する時、その適用範囲はさらに広範なものとなる。また、補強部材２６はレール部材１０の補強通路２０を移動するため、ある部分や位置を補強することを自由選択できる機能をもレール部材１０に与えている。
【符号の説明】
【００１８】
１０：レール部材、１２ａ：上壁、１２ｂ：下壁、１４：側壁、１６ａ：第一面、１６ｂ：第二面、１８：スライド通路、２０：補強通路、２２：上突出体、２４：下突出体、２６：補強部材、２８：延伸スライドレール、３０ａ：第一辺壁、３０ｂ：第二辺壁、３２：連接部、３４：取り付けスライドレール、３６ａ：第一支持部、３６ｂ：第二支持部、３８：連接部、４０：縦方向ホール、４２：定位部材、４４：取り付け部。
【図１】
0003171399.tif 000003
【図２】
0003171399.tif 000004
【図３】
0003171399.tif 000005
【図４】
0003171399.tif 000006